(57)【要約】【課題】  防火性能を有する壁面構成体の提供。【解決手段】  方立１，１，…と、方立１，１，…に取付くパネルユニット２とを備え、パネルユニット２は、縦枠２８ａの外周側にアンカー３と、アンカー３に取付けた調整ボルト４とを有し、調整ボルト４は、縦枠２８ａの長手方向に間隔をおいて設けてあり、防火性能を有し、内外周方向に進退自在であり、方立１に当接してビス５で固定してある。【選択図】      図１
2020139308.tif 000002
【特許請求の範囲】
【請求項１】
方立と、方立に取付くパネルユニットとを備え、パネルユニットは、縦枠の外周側にアンカーと、アンカーに取付けた調整ボルトとを有し、調整ボルトは、縦枠の長手方向に間隔をおいて設けてあり、防火性能を有し、内外周方向に進退自在であり、方立に当接してビスで固定してあることを特徴とする壁面構成体。
【発明の詳細な説明】
【技術分野】
【０００１】
本発明は、カーテンウォール等の壁面構成体に関する。
【背景技術】
【０００２】
従来より、方立と無目とからなる開口部にガラスを嵌め込んだカーテンウォールが知られている（例えば、非特許文献１参照。）。かかるカーテンウォールは、防火性能を有しておらず、防火性能を有するものが求められた。
【先行技術文献】
【非特許文献】
【０００３】
【非特許文献１】三協立山株式会社 三協アルミ社発行のカタログ「カーテンウォール 総合カタログ」（カタログＮｏ．ＳＴＢ０２６１Ｉ  ＹＰ．１５．０７−０３０）、２０１５年７月、ｐ．２６
【発明の概要】
【発明が解決しようとする課題】
【０００４】
本発明は以上に述べた実情に鑑み、防火性能を有する壁面構成体の提供を目的とする。
【課題を解決するための手段】
【０００５】
上記の課題を達成するために請求項１記載の発明による壁面構成体は、方立と、方立に取付くパネルユニットとを備え、パネルユニットは、縦枠の外周側にアンカーと、アンカーに取付けた調整ボルトとを有し、調整ボルトは、縦枠の長手方向に間隔をおいて設けてあり、防火性能を有し、内外周方向に進退自在であり、方立に当接してビスで固定してあることを特徴とする。
【発明の効果】
【０００６】
請求項１記載の発明による壁面構成体は、方立と、方立に取付くパネルユニットとを備え、パネルユニットは、縦枠の外周側にアンカーと、アンカーに取付けた調整ボルトとを有し、調整ボルトは、縦枠の長手方向に間隔をおいて設けてあり、防火性能を有し、内外周方向に進退自在であり、方立に当接してビスで固定してあることで、火災時にもパネルユニットの縦枠が方立に動かないように固定された状態を維持できるので、防火性能を発揮できる。
【図面の簡単な説明】
【０００７】
【図１】図６のＡ−Ａ断面図である。
【図２】図６のＢ−Ｂ断面図である。
【図３】図６のＣ−Ｃ断面図である。
【図４】図６のＤ−Ｄ断面図である。
【図５】図６のＥ−Ｅ断面図である。
【図６】本発明の壁面構成体の一実施形態を示す室外側正面図である。
【図７】パネルユニットの縦枠を方立に固定する手順を示す斜視図である。
【図８】パネルユニットの縦枠を方立に固定する手順を示す横断面図である。
【図９】（ａ）は調整ボルトの正面図、（ｂ）は側面図、（ｃ）はＦ−Ｆ断面図である。
【図１０】（ａ）は孔塞ぎ材の正面図、（ｂ）は側面図、（ｃ）は底面図である。
【図１１】同孔塞ぎ材の取付け方を示す斜視図である。
【発明を実施するための形態】
【０００８】
以下、本発明の実施の形態を図面に基づいて説明する。図１〜６は、本発明の壁面構成体の一実施形態であって、ビルの外壁を成すカーテンウォールに適用したものを示している。本壁面構成体は、図６に示すように、躯体（図示省略）に固定して複数本の方立１，１，…が左右方向に間隔をおいて設けてあり、方立１，１，…間に無目６ａ，６ｂが上下方向に間隔をおいて取付けてある。方立１，１，…と無目６ａ，６ｂとで形成される開口部のうち、スパンドレル部７にあたる開口部にはガラス８が嵌め込んであり、ビジョン部９にあたる開口部にはパネルユニット２が取付けてある。パネルユニット２には、嵌め殺し窓部を構成するパネルユニット２ａと、たてすべり出し窓部を構成するパネルユニット２ｂと、嵌め殺し窓部と排煙窓部とが組み合わさったパネルユニット２ｃとがある。
【０００９】
方立１は、アルミ形材よりなり、図１に示すように、室内側に矩形断面の本体部１０を有し、本体部１０の室外側にＴ字形を成すように見込壁１１と見付壁１２を有している。見込壁１１の右側と左側には取付溝１３ａ，１３ｂが形成してあり、室外側から見て右側の取付溝１３ａの方が左側の取付溝１３ｂよりも深くなっている。
【００１０】
図２に示すように、ビジョン部９の下側（スパンドレル部７の上側）に位置する無目６ｂは、室内側に中空部１３を有し、中空部１３の室外側に下向きに開口したガラス保持溝１４を有している。無目６ｂの室外側端部上面側には取付部１５がクランク状に形成されている。また、無目６ｂの室内側壁は、中空部１３よりも上方に突出しており、その突出部１６をブラケットで１７方立１の本体部１０に固定してある。前記ガラス保持溝１４には、ガラス８の上縁部がガスケット１８とシール材１９とで保持してある。
【００１１】
ビジョン部９の上側（スパンドレル部７の下側）に位置する無目６ａは、図２に示すように、見込壁２０と、室外側見付壁２１と、室内側見付壁２２と、室内側見付壁２２の上端部より室外側に突出する突出壁２３を有している。突出壁２３の室外側端部にはガスケット１８が取付けてあり、見込壁２０の室外側端部には押縁２４が取付けてあり、ガラス８の下縁部がガスケット１８と押縁２４の室内側に充填したシール材１９とで保持してある。押縁２４は、室外側に垂下片２５を有し、垂下片２５が後述するパネルユニット２の上枠２６の室外側に被さっている。無目６ａは、室内側見付壁２２の下部をブラケット１７で方立１の本体部１０に固定してある。
【００１２】
スパンドレル部７のガラス８の左右の縁部は、図５に示すように、方立１の取付溝１３ａ，１３ｂ内に挿入され、取付溝１３ａ，１３ｂ内のガラス８の室内側に押縁２９を取付け、押縁２９の室外側面とガラス８の室内側面との間、方立１の見付壁１２とガラス８の室外側面との間にシール材１９を充填して、ガラス８を保持してある。ガラス８の室内側には、図示しない防火ボードが取付けてある。
【００１３】
嵌め殺し窓部を構成するパネルユニット２ａは、図１，２に示すように、上枠２６と下枠２７と左右の縦枠２８ａ，２８ｂとを方形に枠組みし、その枠内に複層ガラス３０を嵌め込んで構成してある。複層ガラス３０は、網入りガラスを用いた防火ガラスとなっており、複層ガラス３０を支持しているシール材３１、バックアップ材３２及びセッティングブロック３３も防火戸用のものを用いており、パネルユニット２ａ自体が防火仕様のものとなっている。なお、他のパネルユニット２ｂ，２ｃも防火仕様のものとなっている。
【００１４】
図１に示すように、左右の縦枠２８ａ，２８ｂの外周側には、アンカー３がネジ３４で取付けてある。アンカー３は、スチール製の板を溝形に曲げて形成した長尺材であり、縦枠２８ａ，２８ｂの略全長に亘って設けてある。室外側から見て左側の縦枠２８ａのアンカー３には、上下方向に間隔をおいて調整ボルト４が複数設けてある。調整ボルト４同士の間隔は、４００ｍｍ以下としてある。調整ボルト４は、図９に示すように、スチール製の略円柱状の部材であって、中心にビス挿通孔３６が形成してあり、内周側の端部にすり割り溝３７が十字型に形成してあると共に、ビス５用の座ぐり穴３８が形成してある。調整ボルト４は、アンカー３に形成されたネジ孔に螺合しており、後述するように縦枠２８ａ内周側から工具で回転させることで内外周方向に進退自在となっている。図１に示すように、室外側から見て右側の縦枠２８ｂのアンカー３には、一定の厚みのスペーサー３９が調整ボルト４と同じ高さ位置に設けてあり、スペーサー３９の位置でアンカー３が方立１にビス４０で固定してある。
【００１５】
図１に示すように、方立１の見込壁１１の室外側から見て右側（深い取付溝１３ａ側）の側面には、方立１の一部である連結材４１が取付けてある。連結材４１は、アルミ形材よりなり、方立１の略全長に亘って設けてある。連結材４１は、見込壁１１から浮かせてある。
【００１６】
図１に示すように、室外側から見て左側の縦枠２８ａは方立１の深い方の取付溝１３ａに挿入され、室外側から見て右側の縦枠２８ｂは浅い方の取付溝１３ｂに挿入されている。そして、室外側から見て左側の縦枠２８ａは、アンカー３に設けた調整ボルト４の外周側端を連結材４１に当接し、調整ボルト４に挿通したビス５を連結材４１にねじ込むことで、方立１に固定してある。室外側から見て右側の縦枠２８ｂは、アンカー３に挿通したビス４０を見込壁１１にねじ込むことで、方立１に固定してある。連結材４１が無いとすると、室外側から見て左側の縦枠２８ａを固定するためのビス５の位置と、室外側から見て右側の縦枠２８ｂを固定するためのビス４０の位置とを、上下方向又は見込方向にずらす必要があるが、連結材４１を設けたことで両ビス５，４０の位置が同じ位置であっても問題なく固定することができる。方立１の本体部１０の室外側面には、縦枠２８ａ，２８ｂの室内側面に当接するパッキン４２が設けてある。また、縦枠２８ａ，２８ｂの室外側面と方立１の見付壁１２との間の隙間は、耐火性のシール材４３でシールしてある。
【００１７】
図２に示すように、パネルユニット２ａの下枠２７には、外周側にアンカー４４がネジ４５で取付けてある。アンカー４４は、スチール製の板を曲げて形成した長尺材であり、下枠２７の略全長に亘って設けてある。下枠２７は、下端部を無目６ｂの取付部１５に室外側からネジ４６で固定すると共に、アンカー４４の室内側壁を無目６ｂの突出部１６に室内側からのネジ４７で固定して、無目６ｂに固定してある。室外側のネジ止め部の室外側にはシール材４８が充填され、その室外側に取付具４９を取付け、取付具４９に係止してカバー材５０が取付けてあり、カバー材５０は下枠２７の室外側面と無目６ｂの室外側面を跨って覆っている。
【００１８】
図２に示すように、パネルユニット２ａの上枠２６には、外周側にアンカー５１がネジ５２で取付けてある。アンカー５１は、スチール製の板を曲げて形成した長尺材であり、上枠２６の略全長に亘って設けてある。上枠２６は、室外側壁を無目６ａに室外側からのネジ５３で固定すると共に、アンカー５１に取付けた金具５４を無目６ａの室内側壁に室内側からのネジ６５で固定して、無目６ａに固定してある。
【００１９】
たてすべり出し窓部を構成するパネルユニット２ｂは、図３，４に示すように、上枠２６と下枠２７と左右の縦枠２８ａ，２８ｂを方形に枠組みしてなる枠と、枠内に図示しない支持金具で支持され、縦軸を支点に回転しながら室外側にすべり出して開く障子５５とを備える。枠２６，２７，２８ａ，２８ｂは、これまでに説明した嵌め殺し窓部を構成するパネルユニット２ａと同様に、方立１，１と無目６ａ，６ｂとで形成した開口部に取付けてある。
本壁面構成体は、図３に示すように、方立１の左右に異なる窓種（例えば、嵌め殺し窓とたてすべり出し窓）のパネルユニット２ａ，２ｂを取付けることができる。
【００２０】
嵌め殺し窓部と排煙窓部とが組み合わさったパネルユニット２ｃは、上枠２６と下枠２７と左右の縦枠２８ａ，２８ｂを方形に枠組みし、図６に示すように、左右の縦枠２８ａ，２８ｂ間に無目５６を架設し、無目５６より下側の開口部に複層ガラス６６を嵌め込み、無目５６より上側の開口部に障子６４を開閉自在に取付けて構成してある。本パネルユニット２ｃの枠２６，２７，２８ａ，２８ｂも、嵌め殺し窓部を構成するパネルユニット２ａと同様に、方立１，１と無目６ａ，６ｂとで形成した開口部に取付けてある。
【００２１】
次に、本壁面構成体の施工手順を説明する。まず、方立１，１，…を躯体に取付ける。次に、方立１，１，…間にビジョン部９の下側に位置する無目６ｂを架設する。各パネルユニット２は、工場で上枠２６と下枠２７と左右の縦枠２８ａ，２８ｂを枠組みし、上枠２６上に無目６ａをあらかじめ取付けた状態で建設現場に搬入される。そのパネルユニット２を、隣接する方立１，１の取付溝１３ａ，１３ｂ間に上方から挿入し、下枠２７を先に取付けた無目６ｂに支持させる。その後、左右の縦枠２８ａ，２８ｂに取付けたアンカー３を方立１の見込壁１１にビス５，４０で固定する。
【００２２】
図７，８は、調整ボルト４の付いた室外側から見て左側の縦枠２８ａのアンカー３を方立１に固定する手順を示している。縦枠２８ａには、図７（ａ）と図８（ａ）に示すように、調整ボルト４に対向する位置に孔５７が設けてあり、その孔５７に内周側から工具（ドライバー）５８を差し入れ、工具５８の先端を調整ボルト４のすり割り溝３７に係止させて調整ボルト４を回す。すると、調整ボルト４が方立１の見込壁１１（連結材４１）に当接しながら縦枠２８ａに対して内外周方向に進退し、これによりパネルユニット２と方立１の間の隙間を調整できる。その後、図７（ｂ）と図８（ｂ）に示すように、縦枠２８ａの孔５７に内周側から挿入したドリル６３を調整ボルト４のビス挿通孔３６に挿入して、連結材４１にビス５のための下孔を開ける。次に、図７（ｃ）と図８（ｃ）に示すように、縦枠２８ａの孔５７に内周側から挿入したビス５で調整ボルト４を連結材４１に固定する。ビス５は、ネジ部にメック加工を施してあり、ねじ自体にシール機能、ロック機能を有するものとなっている。その後、図７（ｄ）と図８（ｄ）に示すように、孔塞ぎ材５９を貼り付けて縦枠２８ａの孔５７を塞ぐ（嵌め殺し窓部を構成するパネルユニット２ａの場合）。
パネルユニット２がたてすべり出し窓を構成するパネルユニット２ｂの場合は、縦枠２８ａの孔５７を塞ぐために、図１０に示すような孔塞ぎ材６０を用いる。この孔塞ぎ材６０は、金属製の円形のプレート６１に板バネよりなる脚６２を取付けたものであり、図１１に示すように、脚６２を縦枠２８ａの孔５７に弾発的に係止させ、プレート６１で縦枠２８ａの孔５７を塞ぐ。この孔塞ぎ材６０は、着脱自在である。
調整ボルト４が付いていない室外側から見て右側の縦枠２８ｂのアンカー３は、縦枠２８ｂの孔５７に内周側からドリル６３を挿入して方立１の見込壁１１にビス４０用の下孔を開けてから、縦枠２８ｂの孔５７に内周側から挿入したビス４０で方立１に固定し、その後、縦枠２８ｂの孔５７を孔塞ぎ材５９又は６０で塞ぐ。
【００２３】
上記のようにパネルユニット２の縦枠２８ａ，２８ｂを方立１に固定したら、パネルユニット２の上枠２６に取付けた無目６ａを方立１にブラケット１７で固定する。また、パネルユニット２の下枠２７と無目６ｂとをネジ４６で固定し、ネジ固定部の室外側にシール材４８を充填すると共に、カバー材５０を取付ける。その後、パネルユニット２の枠に複層ガラス３０又は障子５５，６４を取付け、スパンドレル部７のガラス８を取付ける。
【００２４】
以上に述べたように本壁面構成体は、方立１，１，…と、方立１，１，…に取付くパネルユニット２とを備え、パネルユニット２は、縦枠２８ａの外周側にアンカー３と、アンカー３に取付けた調整ボルト４とを有し、調整ボルト４は、縦枠２８ａの長手方向に間隔をおいて設けてあり、防火性能を有し、内外周方向に進退自在であり、方立１に当接してビス５で固定してあることで、火災時にもパネルユニット２の縦枠２８ａが方立１に動かないように固定された状態を維持できるので、防火性能を発揮できる。
調整ボルト４は、縦枠２８ａの内周側から工具５８で回転することで内外周方向に進退自在であるため、パネルユニット２と方立１との間の隙間の調整を容易に行うことができると共に、方立１の左右で異なる窓種を取付けることができる。
方立１は、見込壁１１の一側面に連結材４１を有し、連結材４１に調整ボルト４を当接してビス５で固定してあるので、方立１の左右のパネルユニット２，２を固定するためのビス５，４０の位置が同じであっても問題なく固定できる。
アンカー３は、縦枠２８ａ，２８ｂのほぼ全長にわたって設けてあることで、縦枠２８ａ，２８ｂの変形を抑制し、縦枠２８ａ，２８ｂを補強できるので、防火性能がより向上する。
連結材４１は、方立１のほぼ全長にわたって設けてあるので、縦枠２８ａの長手方向の任意の位置に調整ボルト４及びビス５を配置でき、施工性が良い。
【００２５】
本発明は以上に述べた実施形態に限定されない。パネルユニットは、嵌め殺し窓、たてすべり出し窓に限らず、任意の窓種とすることができる。調整ボルトは、防火性能を有していればよく、具体的な材質は問わない。本発明の壁面構成体は、カーテンウォールでもよいし、連窓サッシでもよい。
【符号の説明】
【００２６】
１  方立
２，２ａ，２ｂ，２ｃ  パネルユニット
３  アンカー
４  調整ボルト
５  ビス
【図１】
2020139308.tif 000003
【図２】
2020139308.tif 000004
【図３】
2020139308.tif 000005
【図４】
2020139308.tif 000006
【図５】
2020139308.tif 000007
【図６】
2020139308.tif 000008
【図７】
2020139308.tif 000009
【図８】
2020139308.tif 000010
【図９】
2020139308.tif 000011
【図１０】
2020139308.tif 000012
【図１１】
2020139308.tif 000013